(57)【要約】【課題】簡素な構成にて、無線信号によるユーザへの影響を抑制することができる、無線通信装置および無線通信方法を提供することを目的とする。【解決手段】タブレット端末などの通信装置の背面に設けられたアウトカメラを利用してユーザが通信装置に近接しているか否かを検出する機能を設ける。この構成により、ステップＳ１０５において、カメラから入力される輝度データを監視し、その輝度データの変動量を検出することによってユーザと通信装置が近接しているが否かを判断し、ステップＳ１０６において、近接していると判断した場合は高周波信号の出力レベルを低減する。【選択図】図３
2013211622.tif 000002
【特許請求の範囲】
【請求項１】
無線通信を実行する無線通信装置であって、
被写体を撮像する撮像手段と、
無線信号を送信する送信手段と、
前記被写体の画像情報に応じて、前記無線信号の出力レベルを制御する出力制御手段とを備えたことを特徴とする無線通信装置。
【請求項２】
前記出力制御手段は、前記被写体の画像情報の変動量が所定の変動量より小さい場合は、前記無線信号の出力レベルを第１のレベルに設定し、前記被写体の画像情報の変動量が前記所定の変動量より大きい場合は、前記無線信号の出力レベルを、前記第１のレベルより小さい第２のレベルに設定することを特徴とする請求項１記載の無線通信装置。
【請求項３】
前記被写体の画像情報は、輝度値を含むことを特徴とする請求項２記載の無線通信装置。
【請求項４】
前記出力制御手段は、前記画像情報の輝度値が所定の輝度値より小さくかつ前記画像情報の変動量が前記所定の変動量より大きい場合に、前記無線信号の出力レベルを前記第２のレベルに設定することを特徴とする請求項３記載の無線通信装置。
【請求項５】
さらに、前記撮像手段により撮像される被写体を画像として表示することが可能な画像表示手段を備え、
前記撮像手段は、前記画像表示手段の背面側に設けられ、
前記出力制御手段は、前記画像情報の輝度値が所定の輝度値より大きい場合、または前記画像情報の輝度値が前記所定の輝度値より小さくかつ前記画像情報の変動量が前記所定の変動量より小さい場合に、前記無線信号の出力レベルを前記第１のレベルに設定することを特徴とする請求項３記載の無線通信装置。
【請求項６】
前記出力制御手段は、前記被写体の画像情報を、所定時間毎に取得することを特徴とする請求項１ないし５いずれか１項に記載の無線通信装置。
【請求項７】
さらに、当該無線通信装置の動きを検出する移動検出手段を備え、
前記移動検出手段により所定の動きが検出された場合に、前記撮像手段を起動することを特徴とする請求項１ないし６いずれか１項に記載の無線通信装置。
【請求項８】
無線通信を実行する無線通信方法であって、
被写体を撮像する撮像ステップと、
前記無線信号を送信する送信ステップと、
前記被写体の画像情報に応じて、前記無線信号の出力レベルを制御する出力制御ステップとを備えたことを特徴とする無線通信方法。
【請求項９】
前記出力制御ステップにおいて、前記被写体の画像情報の変動量が所定の変動量より小さい場合は、前記無線信号の出力レベルを第１のレベルに設定し、前記被写体の画像情報の変動量が前記所定の変動量より大きい場合は、前記無線信号の出力レベルを、前記第１のレベルより小さい第２のレベルに設定することを特徴とする請求項８記載の無線通信方法。
【発明の詳細な説明】
【技術分野】
【０００１】
本発明は、簡素な構成にて、無線信号によるユーザへの影響を抑制することができる、無線通信装置および無線通信方法に関するものである。
【背景技術】
【０００２】
近年、ハンドヘルドコンピュータや携帯電話、スマートフォン、メディアプレーヤーといった携帯可能なポータブル無線通信装置の普及が進んでいる。また、前記のような小型デバイスに加え、ラップトップコンピュータ（ノートＰＣ）やタブレット端末など、比較的サイズの大きな無線通信装置も普及してきている。
【０００３】
このような無線通信装置は、携帯して移動できるという性質のため、しばしば無線通信機能が設けられている。例えば、ハンドヘルド無線通信装置は、長距離無線通信を用いて無線基地局と通信することができる。携帯電話機やスマートフォンおよび携帯電話機能を備えたその他のデバイスは、８５０ＭＨｚ、９００ＭＨｚ、１８００ＭＨｚ、および、１９００ＭＨｚの携帯電話帯域を用いて通信することができる。ポータブル無線通信装置は、短距離無線通信リンクも利用しうる。例えば、ポータブル無線通信装置は、２．４ＧＨｚおよび５．０ＧＨｚのＷｉ−Ｆｉ（登録商標）（ＩＥＥＥ８０２．１１）帯域、ならびに、２．４ＧＨｚのＢｌｕｅｔｏｏｔｈ（登録商標）帯域を用いて通信してよい。また、２１００ＭＨｚでのデータ通信が可能である。
【０００４】
従来の携帯電話機は、一般に、通話中、ユーザの頭部付近で信号を発信する。送信される高周波信号から、無線通信装置のユーザへの影響を抑制するため、各国の政府機関（例えば、ＦＣＣ：Ｆｅｄｅｒａｌ  Ｃｏｍｍｕｎｉｃａｔｉｏｎｓ  Ｃｏｍｍｉｓｉｏｎ）などによる規制は、高周波信号電力を制限している。特に、電話機メーカーに最大エネルギー吸収制限を課す、いわゆる「比吸収率」（ＳＡＲ：Ｓｐｅｃｉｆｉｃ  Ａｂｓｏｒｐｔｉｏｎ  Ｒａｔｅ、比吸収率：単位質量の組織に単位時間に吸収されるエネルギー量））基準が実施されている。同時に、無線通信事業者は、自身のネットワークで用いられる電話機が、電話機の満足な動作を確保するための特定の最小高周波電力を生成できることを求めている。
【０００５】
従って、無線通信機能を有するデバイスのメーカーは、適用される政府規制に準拠する適切な高周波信号強度を有するデバイスを提供することが望まれている。このような状況下、近接センサを使ってユーザがスマートフォンに接近していることを検知したら、高周波信号の出力を落として、比吸収率基準を超えないようにする、スマートフォンなどの無線通信装置が提案されている（例えば、特許文献１参照）。
【先行技術文献】
【特許文献】
【０００６】
【特許文献１】特表２０１１−５２６０９９号公報
【発明の概要】
【発明が解決しようとする課題】
【０００７】
しかしながら、上記の近接センサを使った従来の構成では、ＳＡＲ対応のために近接センサを新たに設ける必要があり、簡易な構成で、無線信号によるユーザへの影響を抑制することが困難な不都合であった。
【０００８】
本発明は、このような従来の課題を解決するものであり、ＳＡＲ規制を順守した上で不必要に高周波信号の出力を抑制して通信状態を悪くすることなく、無線通信状態を良好に保つ、無線通信装置および無線通信方法を提供することを目的とする。
【課題を解決するための手段】
【０００９】
本発明は上記目的を達成するために、無線通信を実行する無線通信装置であって、被写体を撮像する撮像手段と、無線信号を送信する送信手段と、前記被写体の画像情報に応じて、前記無線信号の出力レベルを制御する出力制御手段とを備えたことを特徴とする無線通信装置を提供する。
【発明の効果】
【００１０】
本発明の無線通信装置によれば、近接センサなどのセンサを追加することなく、一般的に実装されている撮像手段を利用して、無線信号の出力レベルを制御することができる。これにより、簡素な構成にて、無線信号によるユーザへの影響を抑制することができる。
【図面の簡単な説明】
【００１１】
【図１】実施の形態１における無線通信装置の外観図
【図２】実施の形態１における無線通信装置のハードウェアブロック図
【図３】実施の形態１における無線通信装置のＳＡＲ対応動作フローチャート
【図４】実施の形態１における無線通信装置の使用態様を示す模式図
【図５】実施の形態１におけるカメラ輝度データ変化を示す図
【図６】実施の形態２における無線通信装置のハードウェアブロック図
【図７】実施の形態２における無線通信装置のＳＡＲ対応動作フローチャート
【図８】実施の形態２における無線通信装置のＳＡＲ対応動作フローチャート
【発明を実施するための形態】
【００１２】
上記課題を解決するための第１の発明は、無線通信を実行する無線通信装置であって、被写体を撮像する撮像手段と、無線信号を送信する送信手段と、被写体の画像情報に応じて、無線信号の出力レベルを制御する出力制御手段とを備えたことを特徴とする無線通信装置。
【００１３】
第１の発明によれば、近接センサなどのセンサを追加することなく、一般的に実装されている撮像手段を利用して、無線信号の出力レベルを制御することができる。これにより、簡素な構成にて、無線信号によるユーザへの影響を抑制することができる。
【００１４】
上記課題を解決するための第２の発明は、出力制御手段は、被写体の画像情報の変動量が所定の変動量より小さい場合は、無線信号の出力レベルを第１のレベルに設定し、被写体の画像情報の変動量が所定の変動量より大きい場合は、無線信号の出力レベルを、第１のレベルより小さい第２のレベルに設定することを特徴とする無線通信装置。
【００１５】
第２の発明によれば、第１の発明であって、被写体が動きに変化のある対象の場合は、被写体が静止物体である場合より、無線信号の出力レベルを小さくするので、無線通信装置を使用するユーザが撮像手段に接近する場合は、そうでない場合より、無線信号の出力レベルを小さくすることができる。これにより、無線通信の接続安定性を不要に不安定にすることなく、無線信号によるユーザへの影響を抑制することができる。
【００１６】
上記課題を解決するための第３の発明は、第２の発明であって、被写体の画像情報は、輝度値を含むことを特徴とする無線通信装置。
【００１７】
第３の発明によれば、第２の発明であって、被写体の輝度値で無線信号の出力制御が可能となるので、変動量の検出処理を簡素化することができる。
【００１８】
上記課題を解決するための第４の発明は、第３の発明であって、出力制御手段は、画像情報の輝度値が所定の輝度値より小さくかつ画像情報の変動量が所定の変動量より大きい場合に、無線信号の出力レベルを第２のレベルに設定することを特徴とする無線通信装置。
【００１９】
第４の発明によれば、被写体が、動きに変化がありかつ輝度が小さい対象である場合に、無線信号の出力レベルを小さくするので、ユーザが自分の身体上に無線通信装置を近接または載置して使用する場合を良好に検出して、無線信号によるユーザへの影響を抑制することができる。
【００２０】
上記課題を解決するための第５の発明は、第３の発明であって、さらに、撮像手段により撮像される被写体を画像として表示することが可能な画像表示手段を備え、撮像手段は、画像表示手段の背面側に設けられ、出力制御手段は、画像情報の輝度値が所定の輝度値より大きい場合、または画像情報の輝度値が所定の輝度値より小さくかつ画像情報の変動量が所定の変動量より小さい場合に、無線信号の出力レベルを第１のレベルに設定することを特徴とする無線通信装置。
【００２１】
第５の発明によれば、画像表示手段の背面側で撮像される被写体が、輝度の大きい静止物体である場合、または輝度は小さいが画像情報の変動量が小さい場合に、無線信号の出力レベルを大きくするので、ユーザが無線通信装置をテーブルなどの静止物体上に載置する場合を良好に検出して、無線信号の接続安定性を確保することができる。
【００２２】
上記課題を解決するための第６の発明は、第１ないし第５いずれか１つの発明であって、出力制御手段は、被写体の画像情報を、所定時間毎に取得することを特徴とする無線通信装置。
【００２３】
第６の発明によれば、画像情報を継続的に取得するのではなく、所定時間毎に取得するので、撮像手段による消費電力を抑制することができる。
【００２４】
上記課題を解決するための第７の発明は、第１ないし第６いずれか１つの発明であって、さらに、当該無線通信装置の動きを検出する移動検出手段を備え、移動検出手段により所定の動きが検出された場合に、撮像手段を起動することを特徴とする無線通信装置。
【００２５】
第６の発明によれば、撮像手段を必要な場合にのみ起動するので、撮像手段による消費電力を抑制することができる。
【００２６】
以下、本発明の具体的な内容について実施の形態を用いて説明する。
【００２７】
（実施の形態１）
図１は、実施の形態１における無線通信装置の外観図であって、（ａ）は正面図、（ｂ）は背面図である。無線通信装置１は、矩形状の筐体１５を備えている。筐体１５の表面には、図１（ａ）のとおり、ＬＣＤ（Ｌｉｑｕｉｄ  Ｃｒｙｓｔａｌ  Ｄｉｓｐｌａｙ）から構成されるディスプレイ１４が設けられている。ディスプレイ１４は、画像を表示する機能を有し、所定のインチ数のサイズを有する。すなわち、無線通信装置１は、いわゆる「タブレット型」の情報端末である。
【００２８】
なお、タブレット型の情報端末のインチサイズは、適宜選択が可能であって、サイズは、例えば、Ｂ５サイズ、Ａ４サイズ、Ｂ４サイズでもよく任意である。また無線通信装置は、無線通信機能を有する通信装置であって、タブレット型の情報端末に限定されず、ノート型のパーソナルコンピュータやスマートフォンなどの携帯電話も含まれる。
【００２９】
ディスプレイ１４は、タッチパネル（タッチスクリーン）１８がＬＣＤに重ねて配置される。タッチパネル１８は、ユーザが文字入力や無線通信装置の操作を行うための入力装置である。
【００３０】
筐体１５正面には、筐体１５の長手方向の中央であって、筐体１５正面の端部に、インカメラ１１が設けられている。インカメラ１１は、被写体を撮像する機能を有し、ユーザが写真の自我撮りやテレビ電話などに使用される。なお、インカメラ１１の配置は特に長手方向の中央である必要はなく、その他の場所でもよい。また、インカメラ１１は単一である必要はなく、複数も受けてもよい。筐体１５正面にはさらに、マイク１２が設けられている。マイク１２には、ユーザの声や外部の音声を入力される。
【００３１】
筐体１５内部には、アンテナ１３が設けられている。アンテナ１３は、受信時は、高周波の無線信号を空間から受信し電気信号に変換し、送信時は、電気信号を高周波の無線信号に変換して空間に送信する。なお、アンテナの種類は、モノポールやダイポールなどの線状アンテナでもよいが、通信方式や実装スペースに応じて適宜選択されるものである。
【００３２】
筐体１５の背面には、すなわち、ディスプレイ１４の背面側には、筐体１５の長手方向の中央であって、筐体１５背面の端部に、アウトカメラ１６が設けられている。アウトカメラ１６は、被写体を撮像する機能を有し、写真や動画を撮影するため、またはバーコードの入力などに使用される。アウトカメラ１６の配置は、特に、長手方向の中央であって筐体背面の端部である必要はなく、その他の場所でもよい。また、アウトカメラ１６は単一である必要はなく、複数も受けてもよい。例えば、膝で隠れやすい配置として、筐体１５の長手方向の中心軸から、左右に均等配置してもよい。
【００３３】
筐体１５の背面にはさらに、スピーカ１７が設けられている。スピーカ１７からは、通信相手であるユーザの声または、各種アプリケーションやコンテンツの音声が出力される。
【００３４】
図２は、実施の形態１における無線通信装置のハードウェアブロック図である。ＣＰＵ（Ｃｅｎｔｒａｌ  Ｐｒｏｃｅｓｓｉｎｇ  Ｕｎｉｔ）１０１は、無線通信装置１のシステム全体の制御を行う。ＣＰＵ１０１には、無線トランシーバ１０８、アウトカメラ１６、インカメラ１１、ＲＯＭ（不揮発性メモリ）１０２、ＲＡＭ（揮発性メモリ）１０３、ディスプレイ１４、タッチパネル１８、マイク１２、およびスピーカ１７が接続されている。
【００３５】
ＲＯＭ１０２には、無線通信装置１の動作プログラムが格納される。ＣＰＵ１０１は、ＲＯＭ１０２に格納されたプログラムに従って動作する。ＲＡＭ１０３には、ＣＰＵ１０１が処理するデータやディスプレイ１４に表示するデータが一時的に格納される。無線トランシーバ１０８は、無線データの送受信制御を行う。なお、無線トランシーバは、送信系の通信回路と、受信系の通信回路の両方を含む。無線トランシーバ１０８は、ＡＦＥ（アナログフロントエンド）１０９を介して、アンテナ１３に接続されている。ＡＦＥ１０９は、送信信号のレベルを増幅したり、受信信号を増幅しノイズを削減したりデジタル信号に変換する前処理を行う。
【００３６】
以上のように構成された無線通信装置１について、図３を用いてその動作を説明する。
【００３７】
図３は、実施の形態１における無線通信装置１のＳＡＲ（Ｓｐｅｃｉｆｉｃ  Ａｂｓｏｒｐｔｉｏｎ  Ｒａｔｅ、比吸収率）対応動作フローチャートである。
【００３８】
無線通信装置１は、主電源が入ると筐体１５の背面に配置されたアウトカメラ１６を起動する（ステップＳ１０１）。このときアウトカメラ１６の動作設定は消費電力の増加を最小限に抑えるため、低解像度のモード設定でよい。また、アウトカメラ１６により撮像されるモニタ画像を、ディスプレイ１４に表示しなくてよい。ＣＰＵ１０１は、アウトカメラ１６から出力される輝度データをモニタし、輝度データが示す輝度値が所定値以下か否かを判断する（ステップＳ１０２）。輝度値は、ある方向から見た対象の輝きの強さであって、例えば、カンデラ／平方メートルの単位で表される。
【００３９】
ＣＰＵ１０１が、輝度データの示す輝度値が所定値以下でないと判断する場合は（ステップＳ１０２のＮＯ）、無線信号の出力レベルを通常出力レベルに設定して無線通信を行う（ステップＳ１０９）。ＣＰＵ１０１が、輝度データの示す輝度値が所定値以下であると判断した場合は（ステップＳ１０２のＹＥＳ）、無線信号の出力レベルを、一旦、通常出力レベルよりも小さい出力レベル（規定値以下）に設定する（ステップＳ１０３）。この出力レベルは、ＳＡＲが所定値以下になるように設定される。この所定値は、例えば、各国の政府機関（例えば、ＦＣＣ：Ｆｅｄｅｒａｌ  Ｃｏｍｍｕｎｉｃａｔｉｏｎｓ  Ｃｏｍｍｉｓｉｏｎ）などの規制により適宜設定が可能である。
【００４０】
図４は、実施の形態１における無線通信装置の使用態様を示す模式図であって、（ａ）は無線通信装置をテーブル上に載置した場合、（ｂ）は無線通信装置を膝の上に載置した場合、図５は、実施の形態１におけるカメラ輝度データ変化を示す図であって、（ａ）は無線通信装置をテーブル上に載置した場合、（ｂ）は無線通信装置を膝の上に載置した場合である。
【００４１】
無線通信装置１をクレードル（図示せず）に置いた状態で使用したり、手に持って使用している場合は、アウトカメラ１６から入力される輝度データの輝度値は高い値Ｉ１を示す。ユーザが、図４（ａ）のように、無線通信装置１をテーブル上に載置した状態で使用している場合は、輝度データの輝度値が図５（ａ）のようにほぼ安定したＩ２の値が得られる。一方、ユーザが、図４（ｂ）のように、無線通信装置１を膝の上に載置した状態で使用している場合は、足を動かしたり無線通信装置が動いたりするためにアウトカメラ１６から入力される輝度データの輝度値は、図５（ｂ）のようにＩ２付近で値が変動する。
【００４２】
図５（ａ）の時点ｔ１で、ＣＰＵ１０１が、輝度データの示す輝度値が所定値以下と判断し（ステップＳ１０２のＹＥＳ）、輝度データの変動量（Ｘ）を検出する。ＣＰＵ１０１は、タイマー（図示せず）をスタートし（ステップＳ１０４）、輝度データの示す輝度値の変動量が所定値以上であるか否かを判断する（ステップＳ１０５）。
【００４３】
本実施の形態における変動量は、所定時間幅における輝度値のピークトゥピーク（所定時間幅における最大値と最小値の差）である。なお、これに限らず、変動量の傾向を示す平均値や標準偏差などの統計値でもよい。また、所定時間幅内で適宜サンプリングした値で、ピークトゥピークあるいは統計値を用いてもよい。
【００４４】
ＣＰＵ１０１は、図５（ａ）のように輝度データの変動量が所定値以上でないと判断された場合は（ステップＳ１０５のＮＯ）、タイマーを確認し、所定時間経過するまで輝度データの変動を継続してモニタする（ステップＳ１０７）。図５（ａ）の時点ｔ２で、所定時間経過し、その間所定以上の輝度データの変動がなければ（ステップＳ１０７のＹＥＳ）、図４（ａ）のように、無線通信装置１はテーブルなどの静止物体の上に載置されていると判断し、タイマーをリセットし（ステップＳ１０８）、無線信号の出力レベルを、通常出力レベルよりも小さい出力レベル（規定値以下の値）から、元の通常出力レベルに戻して、無線通信を行う（ステップＳ１０９）。所定の時間が経過する間に（図５（ｂ）の時点ｔ１１からｔ１２の間に）輝度データの変動量（Ｘ）が、図５（ｂ）のように所定の値以上になったら、ＣＰＵ１０１は、輝度データの変動量が所定値以上であると判断し（ステップＳ１０５のＹＥＳ）、すなわち、図４（ｂ）のように無線通信装置１が静止物体の上に載置されていないものと（例えば、ユーザの膝の上に載置されているものと）判断され、通常出力レベルよりも小さく設定していた出力レベルを、そのまま維持するように制御する（ステップＳ１０６）。
【００４５】
以上のように、本実施の形態１では、近接センサなどのセンサを追加することなく、一般的に実装されている撮像手段を利用して、無線信号の出力レベルを制御することができる。これにより、簡素な構成にて、無線信号によるユーザへの影響を抑制することができる。
【００４６】
また、本実施の形態１では、被写体が動きに変化のある対象の場合は、被写体が静止物体である場合より、無線信号の出力レベルを小さくするので、無線通信装置を使用するユーザが撮像手段に接近する場合は、そうでない場合より、無線信号の出力レベルを小さくすることができる。これにより、無線通信の接続安定性を不要に不安定にすることなく、無線信号によるユーザへの影響を抑制することができる。
【００４７】
なお、アウトカメラ１６から出力される輝度データのモニタ（ステップＳ１０２）は、ＣＰＵが、タイマーを使って所定時間毎に輝度データを取得して実行してもよい。こうすることで、輝度データのモニタ以外はカメラをスリープさせることができ、消費電力の増加を削減することができる。
【００４８】
（実施の形態２）
実施の形態２における無線通信装置の外観構成は、図１で説明した外観構成と同一である。図６は、実施の形態２における無線通信装置のハードウェアブロック図である。図６では、図２で説明した実施の形態１における無線通信装置と同一の要素には同一の符号を付し、それら要素の説明は省略する。実施の形態２における無線通信装置は、図２で説明した実施の形態１における無線通信装置と相違する点は、加速度センサ３１を備える点である。加速度センサ３１は、無線通信装置１の位置変化量を検出し、例えば、タブレット型の無線通信装置１における縦横の向きや移動を検出する。加速度センサ３１は、機械式、光学式、半導体式、いずれでもよい。
【００４９】
以上のように構成された無線通信装置１について、図７、図８を用いてその動作を説明する。図７、図８は、実施の形態２における無線通信装置のＳＡＲ対応動作フローチャートである。
【００５０】
図８では、図３で説明した実施の形態１におけるＳＡＲ対応動作フローチャートと同一のステップには同一の符号を付し、それらステップの説明は省略する。実施の形態２におけるＳＡＲ対応動作フローチャートは、図３で説明した実施の形態１におけるフローチャートと相違する点は、ステップＳ１０１におけるアウトカメラ１６の起動前に、ステップ３０１、３０２が実行される点と、ステップＳ１０６、Ｓ１０９において無線出力が設定された場合に、ステップ１０２に戻るのではなく、ステップ３０３に戻る点である。
【００５１】
本実施の形態２における無線通信装置１は、主電源が入ると筐体内に配置された加速度センサ３１を起動し（ステップＳ３０１）、ＣＰＵ１０１は、無線通信装置１の動きを監視する。ＣＰＵ１０１は、加速度センサ３１により無線通信装置１が移動したか否かを判断する（ステップＳ３０２）。無線通信装置１が移動したか否か、すなわち、無線通信装置１の位置変化量は、適宜設定は可能である。
【００５２】
ＣＰＵ１０１は、加速度センサ３１により無線通信装置１が移動したことを検出しない場合は（ステップＳ３０２のＮＯ）、ステップＳ１０１に進まない。すなわち、加速度センサ３１により無線通信装置１が移動したことを検出されない限り、アウトカメラ１６は起動されない。従って、無線通信装置が移動されない場合は、ユーザが無線通信装置を現在の位置から新たな位置に移動していないと判断し、新たな位置が静止物体の上なのか、膝の上なのかを判断することなく、アウトカメラ１６による消費電力を抑制することができる。
【００５３】
ＣＰＵ１０１は、加速度センサ３１により無線通信装置１が移動したことを検出する場合（ステップＳ３０２のＹＥＳ）、アウトカメラ１６を起動する（ステップＳ１０１）。以下、ステップＳ１０２ないしステップＳ１０９は、図３で説明した実施の形態１と同様である。
【００５４】
ステップＳ１０６、Ｓ１０９において、無線出力が設定されると、ＣＰＵ１０１は、アウトカメラ１６の電源を切り（ＯＦＦにし）（ステップＳ３０３）、加速度センサ３１により無線通信装置１の移動が検出されるまで待機する（ステップＳ３０２）。こうすることで、カメラの起動による消費電力を抑制することができる。なお、アウトカメラ１６は電源を切るのではなく、スリープ状態にしておいてもよい。これにより、カメラの消費電力を抑制しつつ、立ち上げ時間を少なくすることができる。
【００５５】
以上のように、実施の形態２では、無線通信装置が移動したときにだけアウトカメラ１６を起動するので、常時カメラの輝度データを監視するより低消費電力で無線信号の出力レベルを不必要に落とすことなく、出力不足による無線通信状態の悪化を削減することができる。
【００５６】
なお、上記実施の形態では、ＳＡＲ値を所定値以下にするために無線信号の出力レベルを下げる方法を用いたが、アンテナの指向性を変更できるように構成し、ユーザが近接しているときにはユーザ側と反対方向に指向性を持たせるように制御する方法を用いても同様の効果が得られる。
【００５７】
なお、上記実施の形態では、ユーザと無線通信装置が近接しているか否かの判断に、画像情報として、カメラから出力される輝度データを用いた例を示したが、カメラの色差データの変動も併用して判断材料として利用することにより、より精度の高い効果が得られる。さらに画像情報を用いて、静止物体かユーザの身体かを画像認識してもよい。
【産業上の利用可能性】
【００５８】
本発明の無線通信装置および無線通信方法は、カメラのデータを利用してユーザと無線通信装置が近接しているか否かをより精度よく検出できるところから、タブレット型の無線通信装置に限らず、カメラを有する無線通信機能付き通信装置への利用が可能である。
【符号の説明】
【００５９】
１３    アンテナ
１６    アウトカメラ
１０１    ＣＰＵ
１０８    無線トランシーバ
３１    加速度センサ
【図１】
2013211622.tif 000003
【図２】
2013211622.tif 000004
【図３】
2013211622.tif 000005
【図４】
2013211622.tif 000006
【図５】
2013211622.tif 000007
【図６】
2013211622.tif 000008
【図７】
2013211622.tif 000009
【図８】
2013211622.tif 000010